(57)【要約】      （修正有）【課題】戸当り側かご出入口柱裏側に設置されたエレベータ出入口の安全装置の受光器又は投光器を、かご室内から戸当り側かご出入口柱又はかご室側壁を取外すことなく交換でき、また受光器又は投光器を精確に所定の取付位置に取付けられ、交換作業を大幅に改善したエレベータ出入口の安全装置を提供する。【解決手段】エレベータ出入口の受光器６と投光器７で構成される光電式安全装置において、受光器６又は投光器７を固定した取付ブラケット８，９を備え、戸当り側かご出入口柱５の乗場側端面に前記取付ブラケット８，９を着脱自在に取付けたものである。【選択図】図２
2006188351.tif 000002
【特許請求の範囲】
【請求項１】
開閉移動するかご側ドアの先端部と、このかご側ドアの全閉時にその先端部を受ける戸当り側かご出入口柱の内側とに、光電式の投光器と受光器をそれぞれ配設し、前記戸当り側かご出入口柱に設けた透孔を通して照射される光線を受光器で受光することで障害物を検知するエレベータ出入口の安全装置において、前記戸当り側かご出入口柱の内側に前記投光器又は受光器を取り付ける取付ブラケットを配設し、この取付ブラケットの一端を前記戸当り側かご出入口柱の乗場側端面に着脱自在に固定したことを特徴とするエレベータ出入口の安全装置。
【請求項２】
前記透孔に嵌め込まれる透明カバーを備え、前記取付ブラケットに前記透明カバーを固定したことを特徴とする請求項１記載のエレベータ出入口の安全装置。
【発明の詳細な説明】
【技術分野】
【０００１】
本発明はエレベーターの出入口部に設置される安全装置に関するものである。
【背景技術】
【０００２】
従来のエレベーター出入口の安全装置は、図６に示すように昇降路を昇降するかご室に設けられるかごドアと、かごドアが閉じた際にかごドア先端を受ける戸当り側かご出入口柱を有するエレベーター出入口に、障害物を検知する赤外線式の投光器及び受光器を備え、戸当り側かご出入口柱に透孔を設けて、投光器の赤外線を戸当り側かご出入口柱の透孔を通して受光器に照射させる構成としている。そして、投光器は戸当り側かご出入口柱の内側に配設され、出入口柱の内側に固着されたブラケットに取付けられている。（例えば、特許文献１参照）
【０００３】
【特許文献１】特開２０００−７２３６３号公報  第２頁、第１図
【発明の開示】
【発明が解決しようとする課題】
【０００４】
ところで、投光器が故障したりいたずら等により破損すると、投光器の交換が必要になるが、上述した従来のエレベーター出入口の安全装置では、投光器は戸当り側かご出入口柱の内側に両面テープで固着されたブラケットに取付ネジで取付けられているので、保守作業員が昇降路内に入りかご室外部から投光器の交換作業をする必要があった。また、かご室外部で戸当り側かご出入口柱の近傍に保守作業員が交換作業するために必要なスペースがない場合は、戸当り側かご出入口柱又はかご室側壁を取外して投光器を交換する必要があるため、現地での交換作業に多大な時間を要するという問題点があった。
【０００５】
本発明の目的は、戸当り側かご出入口柱の内側に設置された投光器又は受光器を、保守作業員がかご室側壁又は戸当り側出入口柱を取外すことなく、かご室内から交換できるようにして、投光器又は受光器を交換する作業性に優れた、また交換時の取付精度が高いエレベーター出入口の安全装置を提供することにある。
【課題を解決するための手段】
【０００６】
この発明は、エレベーターかご出入口に設けた光電式の投光器および受光器と、戸当り側かご出入口柱に投光器の光線を通す透孔とを備え、この透孔を通して照射された光線で障害物を検知するエレベーター出入口の安全装置において、投光器又は受光器を固定した取付ブラケットを備え、戸当り側かご出入口柱の乗場側端面にこの取付ブラケットを着脱自在に取付けたものである。
【発明の効果】
【０００７】
この発明によれば、投光器又は受光器のいずれか一方を一体的に固定した取付けブラケットを、戸当り側かご出入口柱の乗場側端面に着脱自在な、例えば取付ネジにより取付けるようにしたことによって、戸当り側かご出入口柱又はかご室側壁を取外すことなく、保守作業員がかご室内から投光器又は受光器を取付けた取付けブラケットを取外すことにより交換が可能になり、交換の作業性を改善したエレベーター出入口の安全装置を提供することができる。
【発明を実施するための最良の形態】
【０００８】
実施の形態１．
図１は実施の形態１に係るエレベーターの出入口部を含むかご室の横断面図を示し、図２は図１のＡ部拡大断面図を示すもので、以下詳細に説明する。
【０００９】
図２において、エレベーター出入口の光電式検知装置を利用した安全装置は、左右方向に開閉移動するかごドア３の戸当り側の先端部近傍に設置した受光器６と、この受光器６に対向した戸当り側かご出入口柱５に設けた透孔１０ａと、戸当り側かご出入口柱５の内側に設置した投光器７とが、かごドアが開閉する方向に平行な一線上に配設された構成となっている。
【００１０】
ここで戸当り側かご出入口柱５は、その戸当り面と直角に反出入口方向へ曲げられて、乗場側に面する端面部が形成され、この戸当り側かご出入口柱５の乗場側端面部５ａの裏面に、投光器７を一体的に固定した第１の取付ブラケット９の一端を重合し、取付ネジ１１で戸当り側かご出入口柱５の乗場側から取付けている。
【００１１】
図３は、投光器７が取付けられた第２の取付ブラケット８と一体的に固定された第１の取付ブラケット９の拡大図を示し、図４は第１の取付ブラケット９の拡大側面図を示す。図３で示す本実施の形態では第１の取付ブラケット９が、戸当り側かご出入口柱５の乗場側端面部５ａの裏側の直角コーナー部を利用して取付けられる。このため、一端をＬ字形に折り曲げた第１の取付ブラケット９には、その戸当り側かご出入口柱５の乗場側端面部５ａに重合される取付面に一対の透孔を設けるとともに、この透孔に合わせてナット部１１ａを固着し、さらに、第１の取付ブラケット９にＬ字形をした投光器７を取付ける第２の取付ブラケット８を固定している。
【００１２】
第１の取付ブラケット９は、戸当り側かご出入口柱５へ取付けられたとき、投光器７の光線１２が少なくとも透孔１０ａを通して受光器６に達する一直線上の位置になるよう配設されることが必要である。したがって、投光器７がこのような位置に配設されるものであれば、第一の取付ブラケット９の形状は上記で説明したＬ字形に限定されるものではない。また、第一の取付ブラケット９が着脱自在に戸当り側かご出入口柱５の乗場側端面部５ａへ取付けられるものであれば、取付ネジ１１とナット部１１ａに限定されるものではない。
【００１３】
このような構成で、第１の取付ブラケット９は戸当り側かご出入口柱５の乗場側端面部５ａに取付ネジ１１により取付けられているので、図１のかごドアが２枚戸片開きの場合、かご室１を乗場と乗場の中間に移動させれば、戸当り側かご出入口柱５の乗場側端面部５ａと図示しない乗場側壁との隙間が通常１５０ｍｍ程度になり、かごドア３を開放した状態でかご室側から、保守作業員が片手で第一の取付けブラケット９を支え、もう一方の手で戸当り側かご出入口柱５の乗場側端面部５ａの取付ネジ１１を外せば、投光器７を取付けた第１の取付ブラケット９を取外すことができる。
【００１４】
戸当り側かご出入口柱５の乗場側端面部５ａと図示しない乗場側壁との隙間が大きくなると、乗客の転落を防止するために、法規上乗場側壁には図示しないファッシャープレートが設置されているが、第１の取付ブラケット９の取付位置近傍のファッシャープレートを一部取外せば、さらに広い間隙が確保できるので第１の取付ブラケット９の取付け取外し作業がよりし易くなる。
【００１５】
したがって、投光器７を交換する場合に、保守作業員が昇降路内に入ったり、戸当り側かご出入口柱５を取外すことなく、かご室側から投光器７の交換作業が可能になり作業性を改善したエレベーター出入口の安全装置を提供することができる。
【００１６】
実施の形態２．
図５は第１の取付ブラケット９が戸当り側かご出入口柱５に取付けられた状態の戸当り側かご出入口柱５の正面図を示す。
【００１７】
戸当り側かご出入口柱５に設けた透孔１０ａは、通常かごの出入口に面しているため乗客の指が入って負傷しないよう、また異物等が入って投光器等の故障の原因にならないよう、光線１２を透過する透明カバー１０で塞がれているが、この透明カバー１０の一部が透孔１０ａに嵌合するよう形成され、さらに透明カバー１０は図３で示すように投光器７を取付けている第１の取付ブラケット９に一体的に固定されている。
【００１８】
このように構成することにより、第１の取付ブラケット９を戸当り側かご出入口柱５の内側へ取付ける場合、戸当り側かご出入口柱５の裏側に形成された透孔１０ａを目標にして、透明カバー１０を透孔１０ａに嵌め込めば、第１の取付ブラケット９に一体的に固定された投光器７は、取付位置を調整することなく所定の位置に配設され、第１の取付ブラケット９の取付位置が決定される。
【００１９】
ここで、透孔１０ａの縁部と接する透明カバー１０の嵌合部の一部または全部をテーパー化すれば、透明カバー１０は透孔１０ａに嵌め込み易くなり、第１の取付ブラケット９の取付けが簡単になるため、投光器７の交換作業が容易にできるようになる。また、透孔１０ａの縁部の板厚の一部または全部をテーパー化すれば、さらに、透明カバー１０は透孔１０ａに嵌め込み易くなり、交換作業が一層容易になる。
【００２０】
また、透明カバー１０が透孔１０ａに嵌め込まれたとき、透明カバー１０の表面がかご戸当り側出入口柱５の表面より、たとえばコンマ数ｍｍ出っ張らせることにより、透孔１０ａの縁部がエレベーターかごの乗客の指等に接触し難くなるため、乗客が負傷しないようにすることができる。
【００２１】
なお、上述のいずれの実施の形態も、第１の取付ブラケット９に投光器７を取付け、かごドア３側に受光器を取付けるようにしているが、この取付ブラケット９に受光器を取付け、他方、かごドア側に投光器を取付けるようにしてもよい。
【図面の簡単な説明】
【００２２】
【図１】この発明の実施の形態１を示すエレベーターかご室の横断面図である。
【図２】この発明の実施の形態１を示すエレベーター出入口部の安全装置のＡ部拡大断面図である。
【図３】この発明の実施の形態１を示す第１の取付ブラケットの拡大図である。
【図４】この発明の実施の形態１を示す第１の取付ブラケットの拡大側面図である。
【図５】この発明の実施の形態２を示す戸当り側かご出入口柱の正面図である。
【図６】この発明の従来技術を示すエレベータ出入口部の安全装置の要部拡大断面図である。
【符号の説明】
【００２３】
１  かご室
２  かご室側面壁
３  かごドア
４  かご室袖壁
５  戸当り側かご出入口柱
５ａ  乗場側端面部
６  受光器
７  投光器
８  第２の取付ブラケット
９  第１の取付ブラケット
１０  透明カバー
１０ａ  透孔
１１  取付ネジ
１１ａ  ナット部
１２  光線
【図１】
2006188351.tif 000003
【図２】
2006188351.tif 000004
【図３】
2006188351.tif 000005
【図４】
2006188351.tif 000006
【図５】
2006188351.tif 000007
【図６】
2006188351.tif 000008